(57)【要約】【課題】  光の輝度特性を向上させる光学フィルムとこれを有するバックライトアセンブリ、及び液晶表示装置が開示される。【解決手段】  導光板は、ランプから発散された光の経路をガイドして第１出射し、光学フィルムは、導光板の上部面に対向する面に配置され、一方向に向かって不連続的に形成された多数のプリズム山を通じて第１出射された光を集光及び拡散させて第２出射する。これによって、ベースフィルム上に不連続的なプリズム山を形成することによって、一枚のフィルムのみでも正面輝度を高めることができる。【選択図】  図５
2006011439.tif 000002
【特許請求の範囲】
【請求項１】
ベースフィルムと、
前記ベースフィルムの一面にボート底形状を有する多数の光特性向上構造と、
を含む光学フィルム。
【請求項２】
前記各光特性向上構造は、前記ベースフィルムの一面から形成されたプリズム形状の突出部であって、前記突出部は第１端部及び第２端部を有し、前記突出部の高さは前記第１端部及び第２端部から前記突出部の中心方向に行くほど増加することを特徴とする請求項１記載の光学フィルム。
【請求項３】
前記各光特性向上構造は、前記ベースフィルムの一面から形成されたプリズム形状の突出部であって、前記突出部は第１端部及び第２端部を有し、前記突出部の幅は前記第１端部及び第２端部から前記突出部の中心方向に行くほど増加することを特徴とする請求項１記載の光学フィルム。
【請求項４】
前記光特性向上構造は、互いに離間していることを特徴とする請求項１記載の光学フィルム。
【請求項５】
前記光特性向上構造は、互いに接触することを特徴とする請求項１記載の光学フィルム。
【請求項６】
前記光特性向上構造は、外部から提供される光が入射する時、前記光を集光及び拡散させることを特徴とする請求項１記載の光学フィルム。
【請求項７】
前記底面の法線方向に前記ボート底形状の短軸を切断する時、前記光特性向上構造の断面は、三角形形状であることを特徴とする請求項１記載の光学フィルム。
【請求項８】
前記三角形形状の高さは、互いに異なることを特徴とする請求項７記載の光学フィルム。
【請求項９】
前記三角形形状の頂点の内角は、６０〜９０°のうちのいずれか１つの角度であることを特徴とする請求項７記載の光学フィルム。
【請求項１０】
前記三角形形状の頂点の内角は、６８°であることを特徴とする請求項７記載の光学フィルム。
【請求項１１】
前記光特性向上構造は、一定の厚さを有するベースフィルムに互いに異なる高さを有して形成されることを特徴とする請求項１記載の光学フィルム。
【請求項１２】
１つの光特性向上構造に対応するラウンド形状は、同じ曲率を有することを特徴とする請求項１記載の光学フィルム。
【請求項１３】
１つの光特性向上構造に対応するラウンド形状は、互いに異なる曲率を有することを特徴とする請求項１記載の光学フィルム。
【請求項１４】
前記多数の光特性向上構造に対応するラウンド形状は、互いに異なる曲率を有することを特徴とする請求項１記載の光学フィルム。
【請求項１５】
前記光特性向上構造は、互いに向かい合う２個の斜面を有し、前記２個の斜面のそれぞれは、曲面であることを特徴とする請求項１記載の光学フィルム。
【請求項１６】
前記底面の法線方向に前記ボート底形状の短軸を切断する時、前記光特性向上構造の断面はエンタシス（ｅｎｔａｓｉｓ）三角形形状であることを特徴とする請求項１５記載の光学フィルム。
【請求項１７】
前記光特性向上構造は、互いに向かい合う２個の斜面を有し、前記斜面のうちの１つは平面であり、他の１つは曲面であることを特徴とする請求項１記載の光学フィルム。
【請求項１８】
Ｘ−Ｙ平面上に一定の厚さを有して形成されたベースフィルムと、
前記ベースフィルムの一面にＺ軸に向かって互いに異なる高さを有して突出され、Ｘ−Ｚ平面を切断面で切断した断面は、一定曲率のラウンド形状を定義して外部から提供される光を集光して出射し、Ｙ−Ｚ平面を切断面で切断した断面は、三角形形状を定義して外部から提供される光を集光して出射する多数の光特性向上構造と、
を含む光学フィルム。
【請求項１９】
Ｘ−Ｙ平面上に形成されたベースフィルムと、
前記ベースフィルムの一面にＺ軸に向かって互いに異なる高さを有して突出され、Ｘ−Ｚ平面を切断面で切断した断面は、一定曲率のラウンド形状を定義して外部から提供される光を集光して出射し、Ｙ−Ｚ平面を切断面で切断した断面はエンタシス三角形形状を定義して外部から提供される光を集光及び拡散して出射する多数の光特性向上構造と、
を含む光学フィルム。
【請求項２０】
光を発散するランプと、
ベースフィルム及び前記ベースフィルムから突出するように形成された多数のボート底形状の光特性向上構造を含む光学フィルムと、
を含むバックライトアセンブリ。
【請求項２１】
前記光特性向上構造は、前記ランプから発散された光が順次に前記光特性向上構造及びベースフィルムを通過するように配置されることを特徴とする請求項２０記載のバックライトアセンブリ。
【請求項２２】
前記ランプから発散された光の経路をガイドして出射する導光板を更に含むことを特徴とする請求項２０記載のバックライトアセンブリ。
【請求項２３】
前記光学フィルムは、前記導光板上に配置され、
前記光特性向上構造は、前記導光板の上部面に向かって形成されることを特徴とする請求項２２記載のバックライトアセンブリ。
【請求項２４】
前記光特性向上構造の長軸方向は、前記ランプの延長方向と同じであることを特徴とする請求項２０記載のバックライトアセンブリ。
【請求項２５】
前記光特性向上構造は、前記ベースフィルムの表面と平行な底面で切断した断面が流線形を有し、前記ベースフィルムと垂直で、光特性向上構造の長軸と平行に切断した断面がラウンドであることを特徴とする請求項２０記載のバックライトアセンブリ。
【請求項２６】
前記光特性向上構造は、前記ベースフィルムの表面と平行な底面で切断した断面が流線形を有し、前記ベースフィルム及び前記光特性向上構造の長軸と垂直に切断した断面が三角形形状であることを特徴とする請求項２０記載のバックライトアセンブリ。
【請求項２７】
前記光特性向上構造は、前記ベースフィルムの表面と平行な底面で切断した断面が流線形を有し、前記ベースフィルム及び前記光特性向上構造の長軸と垂直に切断した断面がエンタシス三角形形状を定義し、前記エンタシス三角形形状であることを特徴とする請求項２０記載のバックライトアセンブリ。
【請求項２８】
前記光特性向上構造は、前記ベースフィルムの表面と平行な底面で切断した断面が流線形を有し、前記ベースフィルム及び前記光特性向上構造の長軸と垂直に切断した断面の第１斜辺が直線で、第２斜辺が曲線であるセミ−エンタシス（ｓｅｍｉ−ｅｎｔａｓｉｓ）三角形形状であることを特徴とする請求項２０記載のバックライトアセンブリ。
【請求項２９】
前記導光板の背面には、前記ランプの延長方向とは垂直な方向のプリズム山が形成され、前記プリズム山の頂点の内角は１００〜１２０°であることを特徴とする請求項２０記載のバックライトアセンブリ。
【請求項３０】
前記光学フィルムの光特性向上構造の頂点の内角は、６０〜９０°を有することを特徴とする請求項２９記載のバックライトアセンブリ。
【請求項３１】
光を発生する光源と、
前記光源から提供された光を用いて画像を表示する液晶パネルと、
第１面及び第２面を有するベースフィルム、及び前記ベースフィルムの第１面に一方向に向かって突出する多数のボート形状の光特性向上構造が形成された光学フィルムを具備し、前記光源から発生した光の特性を調節して前記液晶パネルに提供する光調節部と、
を含む液晶表示装置。
【請求項３２】
前記液晶パネルは、前記ベースフィルムの第２面上に配置されることを特徴とする請求項３１記載の液晶表示装置。
【請求項３３】
前記光特性向上構造は、前記ベースフィルムの表面と平行な底面で切断した断面が流線形を有し、前記ベースフィルムと垂直で、光特性向上構造の長軸と平行に切断した断面がラウンドであることを特徴とする請求項３１記載の液晶表示装置。
【請求項３４】
前記光特性向上構造は、前記ベースフィルムの表面と平行な底面で切断した断面が流線形を有し、前記ベースフィルム及び前記光特性向上構造の長軸と垂直に切断した断面が三角形形状であることを特徴とする請求項３１記載の液晶表示装置。
【請求項３５】
前記光特性向上構造は、前記ベースフィルムの表面と平行な底面で切断した断面が流線形を有し、前記ベースフィルム及び前記光特性向上構造の長軸と垂直に切断した断面がエンタシス三角形形状を定義し、前記エンタシス三角形形状であることを特徴とする請求項３１記載の液晶表示装置。
【請求項３６】
前記光特性向上構造は、前記ベースフィルムの表面と平行な底面で切断した断面が流線形を有し、前記ベースフィルム及び前記光特性向上構造の長軸と垂直に切断した断面の第１斜辺が直線で、第２斜辺が曲線であるセミ−エンタシス三角形形状であることを特徴とする請求項３１記載の液晶表示装置。
【請求項３７】
前記光調節部は、前記光源から発生された光の経路をガイドして出射する導光板を更に具備し、
前記光学フィルムは、前記導光板の出射面に配置されることを特徴とする請求項３１記載の液晶表示装置。
【請求項３８】
前記光源は複数個のランプで構成され、複数個のランプは前記液晶パネルの背面に平行に配置することを特徴とする請求項３１記載の液晶表示装置。
【請求項３９】
画像を表示する液晶表示パネルと、
光の輝度を向上させるプリズムシートを含み、前記輝度が向上された光を前記液晶表示パネルに供給するバックライトアセンブリと、
を含み、前記プリズムシート上に一方向に多数のプリズムパターンが不連続的に形成され、前記プリズムパターンの長手方向と交差する方向に前記プリズムパターンを切断した断面は、前記液晶表示パネルに向かって突出し、その端部は弧を形成する液晶表示装置。
【請求項４０】
前記プリズムパターンのうち、第１プリズムパターンの高さと、前記第１プリズムパターンと隣接する第２プリズムパターンの高さとが異なることを特徴とする請求項３９記載の液晶表示装置。
【請求項４１】
前記プリズムパターンの長手方向の両端に行くほど、前記プリズムパターンの高さが漸次減少することを特徴とする請求項３９記載の液晶表示装置。
【請求項４２】
前記プリズムパターンの長手方向の両端に行くほど、前記プリズムパターンの幅が漸次減少することを特徴とする請求項４１記載の液晶表示装置。
【請求項４３】
前記第１プリズムパターンと前記第２プリズムパターンの高さの比は、２．５：１〜４．０：１であることを特徴とする請求項４０記載の液晶表示装置。
【請求項４４】
前記第１プリズムパターンと前記第２プリズムパターンとの高さの差は、１０μｍ〜２５μｍであることを特徴とする請求項４０記載の液晶表示装置。
【請求項４５】
前記第１プリズムパターン及び前記第２プリズムパターンに入射する光のうち、８５％〜９５％の光が前記第１プリズムパターンから放出され、前記第２プリズムパターンからその残り光が放出されることを特徴とする請求項４０記載の液晶表示装置。
【請求項４６】
前記プリズムパターン端部の断面の角度は、ほぼ直角であることを特徴とする請求項３９記載の液晶表示装置。
【請求項４７】
上部表面に一方向に多数のプリズムパターンが不連続に形成され、前記プリズムパターンの長手方向と交差する方向に前記プリズムパターンを切断した断面は上部側に向かって突出され、その端部は弧を形成するプリズムシート。
【請求項４８】
前記プリズムパターンのうち、第１プリズムパターンの高さと、前記第１プリズムパターンと隣接する第２プリズムパターンの高さとが異なることを特徴とする請求項４７記載のプリズムシート。
【請求項４９】
前記プリズムパターンの両端に行くほど、前記プリズムパターンの高さが漸次減少することを特徴とする請求項４８記載のプリズムシート。
【請求項５０】
前記プリズムパターンの両端に行くほど、前記プリズムパターンの幅が漸次減少することを特徴とする請求項４９記載のプリズムシート。
【請求項５１】
前記第１プリズムパターンと前記第２プリズムパターンの高さの比は、２．５：１〜４．０：１であることを特徴とする請求項４８記載のプリズムシート。
【請求項５２】
前記第１プリズムパターンと前記第２プリズムパターンの高さの差は、１０μｍ〜２５μｍであることを特徴とする請求項４８記載のプリズムシート。
【請求項５３】
前記第１プリズムパターン及び前記第２プリズムパターンに入射する光のうち、８５％〜９５％の光が前記第１プリズムパターンから放出され、前記第２プリズムパターンからその残り光が放出されることを特徴とする請求項４８記載のプリズムシート。
【請求項５４】
前記プリズムパターン端部の断面の角度は、ほぼ直角であることを特徴とする請求項４７記載のプリズムシート。
【発明の詳細な説明】
【技術分野】
【０００１】
本発明は、光学フィルムと、これを有するバックライトアセンブリ及び液晶表示装置に関し、より詳細には、光の輝度特性を向上させる光学フィルムと、これを有するバックライトアセンブリ及び液晶表示装置に関する。
【背景技術】
【０００２】
一般的に、光学フィルム、特にプリズムフィルムは、表示装置の部品、例えば、液晶表示装置用後面光源輝度向上用フィルム、光反射用フィルム等として用いられる。光学フィルムは、少なくとも一面に接着性が付与されたポリエステルフィルムをベースフィルムとし、ベースフィルム上に紫外線硬化性樹脂がラミネートされたフィルムを言う。
プリズムフィルムは光の方向を垂直方向に収束させて、正面輝度をより高くするために用いられる。
【０００３】
図１は、一般的なプリズムフィルムを有するバックライトアセンブリの斜視図である。特に、特許文献１の図１０に図示された二等辺三角形構造のプリズムフィルムを有するバックライトアセンブリを図示する。
【特許文献１】米国特許第５,６００,４５５号  図１に示すように、ランプ２から発生した光は、導光板３及び反射シート１を通じて拡散板４に入射し、前記拡散板４を通過した光は、第１及び第２プリズムフィルム５ａ、５ｂを通過する。第１プリズムフィルム５ａは、光が出射する面の一側方向、例えば、ｘ−軸方向に沿って二等辺三角形のプリズムが連続的に平行に配列され、その上部に位置した第２プリズムフィルム５ｂは、ｙ−軸方向に沿って二等辺三角形のプリズムが連続的に平行に配列される。従って、ｘ及びｙ−軸方向の光を正面方向、即ち、ｚ−軸方向に収束させて、正面輝度を高めることができる。
【０００４】
しかし、前述した正面輝度を高めるために、２枚のプリズムフィルムを用いる場合、価格及び軽量化に不利であるという問題がある。また、１枚のプリズムフィルムを用いる場合には、正面輝度が低くなるという問題点がある。
【発明の開示】
【発明が解決しようとする課題】
【０００５】
本発明の技術的課題は、このような従来の問題を解決するためのもので、本発明の目的は、１枚のフィルムのみでも正面輝度を向上させるための光学フィルムを提供することにある。
また、本発明の他の目的は、前述した光学フィルムを有するバックライトアセンブリを提供することにある。
【０００６】
また、本発明の更に他の目的は、前述したバックライトアセンブリを有する液晶表示装置を提供することにある。
【課題を解決するための手段】
【０００７】
本発明の一実施例による光学フィルムは、ベースフィルム及び多数の光特性向上構造を含む。前記光特性向上構造は、前記ベースフィルムの一面に平行な方向に切断された断面が流線形を有し、前記ベースフィルムと垂直に切断した断面がラウンドである多数のボート底形状を有する。
本発明の他の実施例による光学フィルムは、ベースフィルム及び多数の光特性向上構造を含む。前記ベースフィルムは、Ｘ−Ｙ平面上に一定の厚さを有して形成される。前記光特性向上構造は、前記ベースフィルムの一面にＺ軸に向かって互いに異なる高さを有して突出し、Ｘ−Ｚ平面を切断面で切断した断面は、一定曲率のラウンド形状を定義して外部から提供される光を集光して出射し、Ｙ−Ｚ平面を切断面で切断した断面は、三角形形状を有する。
【０００８】
本発明の更に他の実施例による光学フィルムは、ベースフィルム及び多数の光特性向上構造を含む。前記ベースフィルムは、Ｘ−Ｙ平面上に形成される。前記光特性向上構造は、前記ベースフィルムの一面にＺ軸に向かって互いに異なる高さを有して突出され、Ｘ−Ｚ平面を切断面で切断した断面は、一定曲率のラウンド形状を定義して外部から提供される光を集光して出射し、Ｙ−Ｚ平面を切断面で切断した断面はエンタシス三角形形状を有する。
【０００９】
本発明の一実施例によるバックライトアセンブリは、ランプ及び光学フィルムを含む。前記ランプは、光を発散する。前記光学フィルムは、ベースフィルム及び多数の光特性向上構造を含む。前記光特性向上構造は、ベースフィルムから突出するように形成された多数のボート底形状を有する。
本発明の一実施例による液晶表示装置は、光源、液晶パネル、及び光調節部を含む。前記光源は、光を発生する。前記液晶パネルは、前記光源から提供された光を用いて画像を表示する。前記光調節部は光学フィルムを含み、前記光学フィルムはベースフィルム及び光特性向上構造を含む。前記ベースフィルムは第１面及び第２面を有し、前記光特性向上構造は、前記ベースフィルムの第１面に一方向に向かって突出した多数のボート形状の光特性向上構造が形成される。前記光調節部は、光源から発生された光の特性を調節して前記液晶パネルに提供する。
【００１０】
本発明による液晶表示装置は、画像を表示する液晶表示パネル、及び光を前記液晶表示パネルに供給するバックライトアセンブリを含む。前記バックライトアセンブリは、前記プリズムシート上に一方向に多数のプリズムパターンが不連続的に形成され、前記プリズムパターンの長手方向と交差する方向に前記プリズムパターンを切断した断面は、前記液晶表示パネルに向かって突出され、その端部は弧を形成する。
【００１１】
また、本発明は、上部表面に一方向に多数のプリズムパターンが不連続的に形成され、前記プリズムパターンの長手方向と交差する方向に前記プリズムパターンを切断した断面は、上部側に向かって突出され、その端部は弧を形成するプリズムシートを提供する。
このような光学フィルムとこれを有するバックライトアセンブリ及び液晶表示装置によると、ベース上に不連続的にプリズム山を形成することにより、１枚のフィルムのみでも正面輝度を向上させることができる。
【発明を実施するための最良の形態】
【００１２】
以下、添付図面を参照して、本発明をより詳細に説明する。
図２は、本発明の実施例によるバックライトアセンブリの斜視図である。
図２を参照すると、本発明によるバックライトアセンブリ１００は、光発生部１１０、導光板１２０、逆−プリズムフィルム１３０、及び反射シート１４０を含む。
光発生部１１０は、ランプ１１２、ランプカバー１１４、第１及び第２ワイヤ１１５、１１６、そしてコネクタ１１８を含み、コネクタ１１８を通じて提供される電源電圧を第１及び第２ワイヤ１１５、１１６のそれぞれを通じてランプ１１２に印加して光を発散する。前記ランプカバー１１４は前記ランプ１１２を囲みながら、一端を通じて前記反射シート１４０の一部をカバーする。
【００１３】
導光板１２０は、逆−プリズムフィルム１３０と反射シート１４０との間に配置され、反射シート１４０に対向する面には、ランプ１１２の延長方向とは垂直な方向に延長された多数のプリズムが形成され、光発生部１１０から提供される光の経路と、反射シート１４０から提供される光の経路をガイドして、逆−プリズムフィルム１３０に提供する。
特に、導光板１２０に形成されたプリズムの場合、ランプ１１２に近接した位置において、頂点の断面をラウンド形状に形成することができる。一例として、ランプ１１２に近いプリズムは曲率が最小であり、ランプ１１２から離れるほど、漸次曲率が大きくなるように形成することができる。
【００１４】
逆−プリズムフィルム１３０は、導光板１２０の上部（または、出射面）に配置され、導光板１２０によってガイドされた光を集光及び拡散させて、光の輝度特性を制御する。逆−プリズムフィルム１３０は、多数のプリズム（または、光特性向上構造）が導光板の出射面に向かってボート底形状を有する。ボート底形状は、互いに接する。逆−プリズムフィルム１３０に形成されたプリズムの形成方向は、導光板１２０の下部（または、反射面）に形成されたプリズムの形成方向とはほぼ垂直である。また、逆−プリズムフィルム１３０に形成されたプリズムの形成方向は、ランプ１１２の長手方向とはほぼ平行である。
【００１５】
反射シート１４０は導光板１２０の下部に配置され、導光板１２０から漏洩する光を導光板１２０に反射する。本発明では、フレキシブルタイプの反射シートを図示したが、リジッドタイプの反射板も可能である。
このように、エッジ型バックライトアセンブリに採用される導光板の背面、即ち、反射シートに対向する光反射面にランプ１１２の長手方向とは垂直に形成された多数のプリズムを形成し、ランプ１１２に近接してはプリズムの頂点をラウンド処理することによって、導光板の入光部の角部分で輝線が発生することを抑制することができる。
【００１６】
図３は、図２の導光板による光ガイド方法を説明するための図である。
図２及び図３に示すように、ランプ１１２から提供される第１光Ｉは、導光板１２０の入射面に入射し、入射した第１光の経路は第１ガイドされ、導光板１２０の光出射面を通じて出射する。
第１ガイドされた第１光Ｉの一部は、導光板１２０の反射面を通じて漏洩する。漏洩光のうちの一部である第２光ＩＩは、反射シート１４０によって導光板１２０に第１拡散透過され、第２ガイド過程を通じて導光板１２０の光出射面を通じて出射する。漏洩光のうちの残りである第３光ＩＩＩは、反射シート１４０によって導光板１２０に第２拡散透過され、第３ガイド過程を通じて導光板１２０の光出射面を通じて出射する。第２拡散透過による拡散程度は、第１拡散透過による拡散程度より大きい。
【００１７】
即ち、ランプから離れるほど、拡散程度は大きい。
図４は、図２の導光板を説明するための図であって、特に、ウェッジタイプ（Ｗｅｄｇｅ  ｔｙｐｅ）導光板を説明するために、一部領域を抜粋して除去した斜視図である。
図２及び図４に示すように、導光板１２０は、ランプ１１２から発生した光が入射する入光部１２１、入光部１２１に対向する対向部１２２、入射した光が出射する出光部１２３、反射シート１４０に対向する底部１２４、第１サイド部１２５、及び第２サイド部１２６を含む。導光板１２０は、ランプ１１２から提供される光を入光部１２１を介して提供を受けて光経路をガイドし、ガイドされた光を出光部１２３を経由して出射する。ここで、導光板１２０の一部領域を除去した理由は、説明の便宜のためである。
【００１８】
入光部１２１はランプ１１２に最も近接する面であって、出部光１２３と接する上部辺は直線を有し、底部１２４と接する下部辺はラウンドされたプリズム山形状を有し、下部辺とプリズム山の谷との距離によって定義される第１高さＴ１を有し、ランプ１１２から提供される光の入力を受けるための入光部の役割を行う。
対向部１２２は入光部１２１と対向する面であって、上部辺は直線を有し、下部辺はプリズム山を有し、上部辺と下部辺のプリズムの谷との距離によって定義される第２高さＴ２を有して入光部１２１に対向する。この際、導光板１２０はウェッジ型なので、第２高さＴ２は第１高さＴ１よりは低い。
【００１９】
出光部１２３は、第１〜第４エッジを有する４角形形状で構成され、特に、第１エッジは入光部１２１の上部辺に接し、第２エッジは対向部１２２の上部辺に接し、第３及び第４エッジは、第１及び第２サイド部１２５、１２６にそれぞれ接しながら、上部に配置される逆−プリズムフィルム１３０に対向し、ガイドされた光を逆−プリズムフィルム１３０に提供する。
【００２０】
底部１２４は、入光部１２１の上部辺と対向部１１２の上部辺を連結しながら下部に配置される反射シート１４０に対向し、反射シート１４０によって反射された光の入力を受ける。底部１２４には、ランプ１１２の長手方向とは垂直に延長される多数のプリズムが形成されており、このプリズム山の頂点の内角は１００〜１２０°であることが好ましい。
【００２１】
前述したプリズムのうち、入光部１２１に近接するプリズムは断面がラウンド形状を有し、対向部１２２に近接するプリズムは断面が鋭い形状を有する。このようなラウンド処理されたプリズムを有する導光板１２０は、射出成型時に製造することもでき、プリズムを有する導光板１２０を形成した後、所望する一定領域の頂点でのみ別のラウンド処理をすることもでき、プリズムを有する第１単品とラウンド処理されたプリズムを有する第２単品とを結合することによって製造することもできる。
【００２２】
第１サイド部１２５は、第１〜第４エッジを有する４角形形状で構成され、特に、第１エッジは入光部１２１の一辺に接し、第２エッジは対向部１２２の一辺に接し、第３エッジは出光部１２３の一辺に接し、第４エッジは底部１２４の一辺に接する。
また、第２サイド部１２６は、第１〜第４エッジで構成された４角形形状を有し、特に、第１エッジは入光部１２１の他辺に接し、第２エッジは対向部１２２の他辺に接し、第３エッジは出光部１２３の他辺に接し、第４エッジは底部１２４の他辺に接する。
【００２３】
図面上では、三角柱形状の複数のプリズムの谷の形成高さ及び頂点の形成高さがそれぞれ同じであり、同一プリズム内の２個の傾斜角が同じであることを図示したが、複数のプリズムの谷および／または頂点の形成高さを異なるように構成することもでき、同一プリズム内の２個の傾斜角を異なるように構成することもできる。
プリズムを定義する谷が鋭いことを図示したが、プリズムを定義する谷がラウンド形状を有するように形成することもできる。
【００２４】
プリズムを定義する谷の形成方向がランプ１１２の延長方向と垂直であることを図示したが、ランプ１１２の延長方向とは一定の角度を有するように形成することもできる。
プリズムを定義する谷が出光部１２４上から見た時、直線ラインを形成することを図示したが、プリズムを定義する谷が曲線ラインを有するように形成することもできる。
以上で説明したように、導光板の背面に集光機能を付与することによって、バックライトの性能を向上することができる。これに付加して、前述した導光板の上部に集光機能と拡散機能を有する逆−プリズムフィルムを配置することによって、より広い視認性とより優れた外観品質を確保することができる。
【００２５】
そうすると、本発明による逆−プリズムの多様な例について、添付図面を参照して説明する。
逆−プリズムフィルムの実施例
（実施例１）
図５は、本発明の第１実施例による逆−プリズムフィルムの斜視図である。図５を参照すると、本発明の一実施例による逆−プリズムフィルム１３０は、ベース（又は、ベースフィルム）１３２、及び前記ベースフィルム１３２の一面に一方向に沿って形成された多数の光特性向上構造１３４を含む。
【００２６】
光特性向上構造１３４が形成されるベースフィルム１３２の一面は、導光板１２０の出射面に向かって、光特性向上構造１３４が形成されないベースフィルム１３２の他面は、パネル側に向かうことが好ましい。ベースフィルム１３２と光特性向上構造１３４は同じ屈折率を有する同じ材質で製造することもでき、互いに異なる屈折率を有する他の材質で製造することもできる。
【００２７】
多数の光特性向上構造１３４は、ベースフィルム１３２にボート底形状を有して接する。光特性向上構造１３４は、ほぼｘ−軸方向の長軸とｙ−軸方向の短軸を有する。ボート底形状は長軸と短軸を有して両端に行くほど、漸次狭くなり、中央に行くほど、広くなる閉曲線を定義する。
図６は、図５の逆−プリズムフィルムの一部を抜粋した平面図であり、図７は、図６のＩ−Ｉ’に沿って切断した断面図であり、図８は、図６のＩＩ−ＩＩ’に沿って切断した断面図である。
【００２８】
図６〜図８に示すように、光特性向上構造１３４の短軸方向をＩ−Ｉ’に沿って切断すると、光特性向上構造１３４は互いに接する三角形形状の断面を有する。三角形形状の仮想の底辺の段差は互いに異なり、高さも異なる。三角形形状の頂点の内角（θ１、θ２、θ３、θ４）は６０〜９０°を有する。特に、頂点の内角はほぼ６８°であることが好ましい。
【００２９】
光特性向上構造１３４の長軸方向をＩＩ−ＩＩ’に沿って切断すると、光特性向上構造１３４はラウンド形状を有する。各ラウンド形状の高さ及び曲率は互いに異なるように形成されることができる。
図９は、図７の逆−プリズムフィルムの光進行経路を示す概略図であり、図１０は、図８の逆−プリズムフィルムの光進行経路を示す概略図である。特に、図９は、本発明の一実施例による逆−プリズムフィルムの短軸方向に対応する光学特性を説明する概略図であり、図１０は、本発明の一実施例による逆−プリズムフィルムの長軸方向に対応する光学特性を説明する概略図である。
【００３０】
図９に示すように、観察者の視点で下部から入射する光のうち、各プリズム山の右側斜面に入射した光は、概ね左側にシフトされて出射し、左側斜面に入射した光は、概ね右側にシフトして出射される。スネルの法則で定義されたように、斜面に入射する光は、右側や左側にシフトして出射される。
これによって、単位プリズム山の一側斜面と他側斜面は、外部から入射する光の経路を集光させる機能を行い、単位プリズム山の一側斜面とこれに隣接する単位プリズム山の他側斜面は下部から入射する光を拡散させる機能を行う。
【００３１】
一方、図１０に示すように、観察者の視点で下部から入射する光のうち、プリズム山の左側曲面に入射した光は、概ね右側にシフトして出射し、右側曲面に入射した光は、概ね左側にシフトして出射される。スネルの法則で定義されたように、曲面に入射する光は、右側や左側にシフトして出射される。
これによって、プリズム山の一側曲面と他側曲面は、下部から入射する光の経路を集光させる機能を行い、プリズム山の一側曲面とこれに隣接するプリズム山の他側曲面は下部から入射する光を拡散させる機能を行う。
【００３２】
以上で説明したように、本発明による逆−プリズムフィルムには、１つの軸方向に対応して互いに異なる高さのプリズム山が形成され、他の１つの軸方向に対応して、プリズム山が不連続的でラウンド形状を有するので、異物や不良が発生しても、概観品質が急激に低下することを防止することができる。
また、本発明による逆−プリズムフィルムでは、プリズム山のパターンを１つの軸（即ち、長軸）を基準としてラウンド処理することにより、傾面を有するプリズムと比較して不良が視認される程度を減少させることができ、入光部の周囲で発生される輝線を減少させることができる。
（実施例２）
図１１は、本発明の第２実施例による逆−プリズムフィルムの斜視図である。図１１を参照すると、本発明の他の実施例による逆−プリズムフィルム１５０は、ベース（または、ベースフィルム）１５２、及びベースフィルム１５２の一面に一方向に向かって形成された多数の光特性向上構造１５４を含む。前述した本発明の一実施例と比較する時、光特性向上構造１５４はベース１５２の一部領域を露出しながら形成される。
【００３３】
光特性向上構造１５４が形成されるベースフィルム１５２の一面は、導光板１２０の出射面に対向し、光特性向上構造１５４が形成されないベースフィルム１５２の他面は、観察者側に対向することが好ましい。ベースフィルム１５２と光特性向上構造１５４は、同じ屈折率を有する同じ材質であることが好ましい。
光特性向上構造１５４は、ベースフィルム１５２にボート底形状を有して接する。光特性向上構造は、概ねｘ−軸方向の長軸とｙ−軸方向の短軸を有する。ボート底形状は、長軸と短軸を有して両端に行くほど、漸次狭くなり、中央に行くほど、広くなる閉曲線を定義する。
【００３４】
図１２は、図１１の逆−プリズムフィルムの一部を抜粋した平面図であり、図１３は、図１２のＩＩＩ−ＩＩＩ’に沿って切断した断面図であり、図１４は、図１２のＩＶ−ＩＶ’に沿って切断した断面図である。図１２〜図１４に示すように、光特性向上構造１５４の短軸方向の断面は、互いに離間する三角形形状の断面を有する。三角形形状の底辺の段差は互いに同じであり、高さは互いに異なる。三角形形状の頂点の内角（θ１、θ２、θ３、θ４）は、６０〜９０°を有する。特に、頂点の内角は、約６８°とすることが好ましい。
【００３５】
光特性向上構造１５４の長軸方向をＩＶ−ＩＶ’に沿って切断すると、光特性向上構造１５４はラウンド形状を有する。各ラウンド形状の高さ及び曲率は、互いに異なるように形成することができる。図１５及び図１６は、それぞれ図１３及び図１４の逆−プリズムフィルムの光学特性を説明する概略図である。特に、図１５は、本発明の他の実施例による逆−プリズムフィルムの短軸方向に対応する光学特性を説明する概略図であり、図１６は、本発明の他の実施例による逆−プリズムフィルムの長軸方向に対応する光学特性を説明する概略図である。
【００３６】
図１５に示すように、単位プリズム山の一側斜面と他側斜面は、下部から入射する光の経路を集光する機能を行い、単位プリズム山の一側斜面とこれに隣接する単位プリズム山の他側斜面は、下部から入射する光を拡散させる機能を行い、プリズム山の間の境界であるフラットな面は直進光をそのまま出射する。
一方、図１６に示すように、プリズム山の一側曲面と他側曲面は、下部から入射する光の経路を集光する機能を行い、プリズム山の一側曲面とこれに隣接するプリズム山の他側曲面は、下部から入射する光を拡散させる機能を行い、プリズム山の間の境界であるフラットな面は直進光をそのまま出射する。
（実施例３）
図１７は、本発明の第３実施例による逆−プリズムフィルムの断面図であり、図１８は、図１７の光学特性を説明する概略図である。
【００３７】
図１７及び図１８に示すように、本発明の更に他の実施例の逆−プリズムフィルムに具備される光特性向上構造の短軸方向の切断面は、各辺が外部にラウンドされた三角形形状である。以下では、このような形状の三角形をエンタシス三角形と定義する。
前述したエンタシス三角形形状によって外部から提供される光を集光及び拡散する。エンタシス三角形形状の仮想の底辺の段差は互いに異なり、高さも互いに異なる。
【００３８】
図示していないが、本発明の第３実施例による光特性向上構造の長軸方向の切断面は、ラウンド形状を有する。ラウンド形状は同じ曲率を有する構成とすることもでき、互いに異なる曲率を有する構成とすることもできる。
（実施例４）
図１９は、本発明の第４実施例による逆−プリズムフィルムの断面図であり、図２０は、図１９の光学特性を説明する概略図である。
【００３９】
図１９及び図２０に示すように、本発明の更に他の実施例の逆−プリズムフィルムに設けられる光特性向上構造の短軸方向の切断面は、第１斜辺が直線であり、第２斜辺が曲線である三角形形状である。このような形状をセミ−エンタシス三角形形状と定義する。セミ−エンタシス三角形形状の第１斜辺（直線）によって主に集光機能を行い、第２斜辺（曲線）によって主に拡散機能を行う。
【００４０】
図示していないが、本発明の第４実施例による光特性向上構造の長軸方向の切断面はラウンド形状を有する。ラウンド形状は同じ曲率を有する構成とすることもでき、互いに異なる曲率を有する構成とすることもできる。
（実施例５）
図２１は、本発明の第５実施例による逆−プリズムフィルムの断面図である。特に、図２１は、光特性向上構造（プリズム）の長手方向の断面図である。
【００４１】
図２１に示すように、実施例５によるプリズムの単位プリズムの中央を基準として非対称構造である。即ち、一側の曲率が他側の曲率より大きい。
図面において、大きい曲率を有する単位プリズム山の左側曲面は、相対的に多い光が右側にシフトするように屈折させ、小さい曲率を有する単位プリズム山の右側曲面は、相対的に少ない光が左側にシフトするように屈折させて出射する一種の集光機能を行う。このように、ベースに形成される光特性向上構造の曲率を調整することによって、拡散程度を調整することができる。図示していないが、プリズム山の一側曲面とこれに隣接するプリズム山の他側曲面は、下部から入射する光を拡散させる機能を行う。
【００４２】
そうすると、本発明による逆−プリズムフィルムを有するバックライトアセンブリを採用する多様な液晶表示装置の例を添付図面を参照して説明する。
液晶表示装置の実施例
（実施例６）
図２２は、本発明の第６実施例による液晶表示装置の分解斜視図である。
【００４３】
図２２に示すように、本発明の第６実施例による液晶表示装置２００は、ランプ２３０、反射シート２２１、導光板２２２、逆−プリズムフィルム２２３、及び液晶パネル２６０を含む。ランプ２３０から発生した光は、導光板２２２及び反射シート２２１によって逆−プリズムフィルム２２３に入射し、逆−プリズムフィルム２２３に入射した光は集光及び拡散され、液晶パネル２６０は集光及び拡散された光を用いて画像を表現する。
【００４４】
液晶パネル２６０は、カラーフィルター基板２６２、ＴＦＴ基板２６４、ソースＰＣＢ２７０、ソースドライバー２６６、及びゲートドライバー２６８を含む。
ランプ２３０は、ＣＣＦＬ、ＬＥＤ、ＥＥＦＬ等の多様な光源が用いられることができる。
ここで、導光板２２２は一側面にプリズムパターンが形成されており、反射シート２２１及び導光板２２２の一側面に形成されたプリズムは、ランプ２３０から発生された光を導光板２２２の面に対して垂直方向に収束して出射し、出射した光は逆−プリズムフィルム２２３によって入射する。逆−プリズムフィルム２２３は、導光板２２２によって入射した光を更に収束させ液晶パネル２６０に出射する。
【００４５】
逆−プリズムフィルム２２３は、ベースフィルムの一面に一方向に向かって不連続的に形成されながら、長軸と短軸を有する多数のプリズムを含み、多様な方向の光を収束させ正面輝度を効果的に増加させる。逆−プリズムフィルム２２３は、前述した実施例１〜実施例５のうち、いずれか１つである。
ここで、逆−プリズムフィルム２２３のプリズムが、導光板２２２に向かうように位置させ、プリズムフィルム２２３のプリズムの形成方向（または、プリズムの長軸方向）と導光板２２２の背面に形成されたプリズムパターンの形成方向は、交互に形成されることが好ましい。
（実施例７）
図２３は、本発明の第７実施例による液晶表示装置の分解斜視図である。
【００４６】
図２３に示すように、本発明の第７実施例による液晶表示装置３００は、ランプ３３０から発生した光を調節する光調節部３２０、及び光調節部３２０から提供された光を用いて画像を表示する液晶パネル３６０を含む。
液晶パネル３６０は、カラーフィルター基板３６２、ＴＦＴ基板３６４、ソースＰＣＢ３７０、ソースドライバー３６６、及びゲートドライバー３６８を含む。
【００４７】
ランプ３３０は、ＣＣＦＬ、ＬＥＤ、ＥＥＦＬ等の多様な光源が用いられることができる。
光調節部３２０は、ランプ３３０から発生する光を調整して、液晶パネル３６０に調節された光を供給するまでの一連の役割を行い、反射シート３２１、導光板３２２、拡散フィルム３２３、及び逆−プリズムフィルム３２４を含む。
【００４８】
導光板３２２の側面に位置したランプ３３０から発生された光は、導光板３２２とその下部の反射シート３２１を通じて拡散フィルム３２３に出射し、拡散フィルム３２３は、入射した光を拡散して逆−プリズムフィルム３２４に出射し、逆−プリズムフィルム３２４は、拡散フィルム３２３から入射した光を正面方向に収束させ液晶パネル３６０に出射する。
【００４９】
逆−プリズムフィルム３２４は多数のプリズムを含み、多様な方向の光を収束させ正面輝度を効果的に増加させる。逆−プリズムフィルム２２３は、前述した実施例１〜実施例５のうち、いずれか１つである。ここで、逆−プリズムフィルム３２４のプリズムが導光板３２２に対向するように位置させ、逆−プリズムフィルム３２４のプリズムの形成方向（または、プリズムの長軸方向）と導光板３２２の背面に形成されたプリズムパターンの形成方向は、交互に形成することが好ましい。
（実施例８）
図２４は、本発明の第８実施例による液晶表示装置の分解斜視図である。
【００５０】
図２４に示すように、本発明の第８実施例による液晶表示装置４００は、ランプ４３０から発生された光を調節する光調節部４２０、及び光調節部４２０によって通過した光を用いて画像を表示する液晶パネル４６０を含む。液晶パネル４６０は、カラーフィルター基板４６２、ＴＦＴ基板４６４、ソースＰＣＢ４７０、ソースドライバー４６６、及びゲートドライバー４６８を含む。
【００５１】
ランプ４３０は、ＣＣＦＬ、ＬＥＤ、ＥＥＦＬ等の多様な光源が用いられることができる。
光調節部４２０は、ランプ４３０から発生する光を調節して、液晶パネル４６０に調節された光を供給するまでの一連の役割を行い、反射シート４２１、拡散フィルム４２３、及び逆−プリズムフィルム４２４を含む。
【００５２】
液晶パネル４６２の背面に平行に位置した多数のランプ４３０から発生した光は、直接拡散フィルム４３２に入射するか、反射シート４２１を通じて拡散フィルム４２３に入射する。拡散フィルム４２３は、入射した光を拡散して逆−プリズムフィルム４２４に出射し、逆−プリズムフィルム４２４は、拡散フィルム４２３から入射した光を正面方向に収束させる。
【００５３】
逆−プリズムフィルム４２４は、ベースフィルムの一面に一方向に向かって不連続的に形成され、長軸と短軸を有する多数のプリズムを含み、多様な方向の光を収束させ正面輝度を効果的に増加させる。逆−プリズムフィルム２２３は、前述した実施例１〜実施例５のうち、いずれか１つである。逆−プリズムフィルム４２４のプリズムが拡散フィルム４２３に向かうように位置させ、逆−プリズムフィルム４２４のプリズム形成方向（または、プリズムの長軸方向）とランプ４３０の延長方向は互いに平行であることが好ましい。
【００５４】
また、ランプ４３０の上部領域は、ランプ４３０の間の上部領域より入射する光の強度が相対的に大きい。従って、全体的な輝度均一性のために、逆−プリズムフィルム４２４に形成されたプリズムの傾斜角度は、ランプと一定関係を有するように構成できる。即ち、ランプ４３０の上部領域に対応する領域には、平均的により大きい傾斜角度を有するプリズムを形成し、ランプ４３０の間の上部領域に対応する領域には、平均的により小さい傾斜角度を有するプリズムを形成することができる。
（実施例９）
図２５は、本発明の一実施例による液晶表示装置１０００の分解斜視図である。
【００５５】
図２５に図示した本発明の一実施例による液晶表示装置１０００は、光を供給するバックライトアセンブリ７０、及び光に対応して画像を表示する液晶表示パネルアセンブリ４０で構成される。これ以外に、これらを固定支持するために、トップシャーシ６０、上部モールドフレーム６２、ボトムシャーシ６４、及び下部モールドフレーム６６が結合されている。
【００５６】
バックライトアセンブリ７０は、液晶表示パネルアセンブリ４０に光を供給して、光をガイドしながら輝度を向上させ、バックライトアセンブリ７０上に位置する液晶表示パネルアセンブリ４０は、画像を表示する液晶表示パネル５０を制御する。
液晶表示パネルアセンブリ４０は、液晶表示パネル５０、テープキャリアパッケージ（ＴＣＰ）４４、及びＰＣＢ４２を含む。液晶表示パネル５０は、多数のＴＦＴで構成されたＴＦＴ基板５１、ＴＦＴ基板５１の上部に位置するカラーフィルター基板５３、及びこれらの基板の間に注入される液晶（図示せず）で構成される。カラーフィルター基板５３の上部とＴＦＴ基板５１の下部には、偏光板（図示せず）を取り付けて、バックライトアセンブリ７０から供給された可視光線を線偏光させる。
【００５７】
ＴＦＴ基板５１は、マトリックス状の薄膜トランジスタが形成されている透明なガラス基板であり、ソース端子にはデータラインが連結され、ゲート端子にはゲートラインが連結されている。そして、ドレイン端子には、導電性材質として透明なＩＴＯで構成された画素電極が形成される。
前述した液晶表示パネル５０のデータライン及びゲートラインにＰＣＢ４２から電気的な信号を入力すると、ＴＦＴのソース端子とゲート端子に電気的な信号が入力され、これらの電気的な信号の入力によってＴＦＴはターンオンまたはターンオフし、画素形成に必要な電気的な信号をドレイン端子に出力する。
【００５８】
一方、ＴＦＴ基板５１に対向して、その上にカラーフィルター基板５３が配置されている。カラーフィルター基板５３は、光が通過しながら所定の色が発現される色画素であるＲＧＢ画素が薄膜工程によって形成された基板であって、全面にＩＴＯで構成された共通電極が塗布されている。ＴＦＴのゲート端子及びソース端子に電源が印加され、薄膜トランジスタがターンオンすると、画素電極とカラーフィルター基板の共通電極の間には電界が形成される。このような電界によってＴＦＴ基板５１とカラーフィルター基板５３との間に注入された液晶の配列角が変化し、変化した配列角によって光透過度が変更され、所望する画素が得られる。
【００５９】
液晶表示パネル５０の液晶の配列角と液晶が配列される時期を制御するためには、ＴＦＴのゲートラインとデータラインに駆動信号及びタイミング信号を印加するが、データ駆動信号及びゲート駆動信号の印加時期を決定するために、ＴＣＰ４４が取り付けられている。
液晶表示パネル５０の外部から画像信号の入力を受けて、データラインとゲートラインにそれぞれ駆動信号を印加するためのＰＣＢ（印刷回路基板）４２は、液晶表示パネル５０に取り付けられたＴＣＰ４４と接続する。ＰＣＢ４２は、液晶表示装置１０００を駆動するデータ信号、ゲート駆動信号、及びこれらの信号を適切な時期に印加するための複数の駆動信号を発生させ、ゲート駆動信号とデータ駆動信号をＴＣＰ４４を通じてそれぞれ液晶表示パネル５０のゲートライン及びデータラインに印加する。
【００６０】
液晶表示パネルアセンブリ４０の下部には、液晶表示パネルアセンブリ４０に均一な光を提供するためのバックライトアセンブリ７０が設けられている。
バックライトアセンブリ７０は、ボトムシャーシ６４内に収納され固定されるが、光を放出してランプカバー７６の内部に設けられるランプ７４、ランプ７４の周囲を囲んでランプ７４を保護するランプカバー７６、ランプ７４から放出される光をガイドして液晶表示パネル５０に供給する導光板７８、導光板７８の下部に位置して光を反射する反射シート７９、及びランプ７４からの光の輝度特性を確保して液晶表示パネル５０に光を提供するための光学シート７２を備える。光学シート７２は、後に詳細に説明する。
【００６１】
ボトムシャーシ６４の背面には、電源供給用ＰＣＢであるインバータボード（図示せず）と信号変換用ＰＣＢ（図示せず）を設ける。インバータボードは、外部電源を一定な電圧レベルに変圧してランプに供給し、信号変換用ＰＣＢは、前述したＰＣＢ４２と接続して、アナログデータ信号をデジタルデータ信号に変換して液晶表示パネル５０に提供する。
【００６２】
液晶表示パネルアセンブリ４０上には、ＰＣＢ４２をボトムシャーシ６４の外部に折曲するとともに、液晶表示パネルアセンブリ４０が下部モールドフレーム６６から離脱することを防止するためのトップシャーシ６０を備える。折曲されたＰＣＢ４２はボトムシャーシ６４上に固定支持され、下部モールドフレーム６６はバックライトアセンブリ７０を収納支持する。図１には図示していないが、トップシャーシ６０の上部と下部モールドフレーム６６の下部には、それぞれ全面ケース及び背面ケースが位置して、これらの結合によって液晶表示装置１０００を構成する。
【００６３】
図２５に図示したバックライトアセンブリ７０に含まれた光学シート７２は、保護シート１４、プリズムシート１０、１２、及び拡散シート１８を含む。導光板７８でガイドされ上部に放出された光は、拡散シート１８を通じて均一に拡散された後、プリズムシート１０、１２を通過しながら集光される。プリズムシート１０、１２は、各プリズムパターンが互いに交差するように配置される。これによって、拡散シート１８で拡散された光を効率的に集光することができるのみならず、均一な拡散が可能である。一方、上部プリズムシート１２上のプリズムパターンを保護するために、上部プリズムシート１２上に保護シート１４を設ける。
【００６４】
図２５に図示した光学シート７２の構造は、本発明を例示するためのもので、本発明がここに限定されるものではない。従って、他の構造に光学シート７２を変形することができる。特に、図２５では、プリズムシート１０、１２が上部プリズムシート１２及び下部プリズムシート１０で構成されたことを図示したが、これは本発明を例示するためのもので、本発明がここに限定されるものではない。従って、プリズムシートを１枚のみ用いても良い。
【００６５】
図２５の拡大円に、下部プリズムシート１０上に形成されたプリズムパターン１９０を拡大して図示する。図２５の拡大円に図示したように、下部プリズムシート１０上に一方向に多数のプリズムパターン１９０を不連続的に形成する。ここで、多数のプリズムパターン１９０は、Ｘ軸方向に沿って平行に形成することができる。プリズムパターン１９０の端部１００１は、液晶表示パネル５０に向かって突出形成され、プリズムの役割を果たす。プリズムパターン１９０は、その長手方向の両端に行くほど、プリズムパターン１９０の高さが漸次減少する形状を有する。これによって、プリズムパターン１９０の幅も漸次減少する。このような形状に多数のプリズムパターン１９０を不連続的に形成することができる。上部プリズムシート１２もこのような方法でプリズムパターンを形成することができる。この場合、上部プリズムシート１２上に形成されたプリズムパターンは、下部プリズムシート１０のプリズムパターンと交差するように、Ｙ軸方向に沿って平行に形成することができる。このようなプリズムパターンの形成方法は、本発明の属する技術分野における通常の知識を有する者が容易に理解できるので、その詳細な説明は省略する。
【００６６】
図２６は、本発明の一実施例による液晶表示装置１０００の結合斜視図であって、図２５に図示した液晶表示装置１０００の全ての部品を結合して示す図である。
プリズムシートを通過した光は集光され、図２６に図示した液晶表示装置１０００の液晶表示パネルに供給されるので、鮮明な画像を具現する。即ち、プリズムシートを通過した大部分の光がＺ軸方向に向かうようにすることによって、外部から見る時、鮮明な画面を具現することができる。以下では、図２７を参照して鮮明な画像を具現することができる原理について詳細に説明する。
【００６７】
図２７は、図２６のＶ−Ｖ’に沿って切断した断面図であって、下部プリズムシート１０で光が集光され放出される状態を概略的に示す図である。
図２７の拡大円に示すように、光学シート７２に含まれた下部プリズムシート１０上には、液晶表示パネル５０に向かって突出された形状を有して、その端部１０１１が弧（ａｒｃ）を構成するプリズムパターン１９０が形成されている。このように、プリズムパターン１９０の端部１０１１が弧を形成するので、即ち、ラウンド形状を有するので、プリズムパターン１９０内に入射する光の損失を最大限に減少することができる。これによって、矢印で示すように、プリズムパターン１９０内の光が端部１０１１等に集光し、上部の液晶表示パネル５０側によく放出される。プリズムパターン１９０の側面に入射する光の一部は全反射され、他の側に形成されたプリズムパターン１９０を通じて放出される。
【００６８】
一方、プリズムパターン１９０を構成する互いに隣接するプリズムパターン１０１、１０３は、それぞれの高さが異なるように形成され、光をより効率的に集光することができる。
以下では、図２８及び図２９を参照して、本発明の一実施例によるプリズムシートのプリズムパターンに対して詳細に説明する。
【００６９】
図２８は、本発明の一実施例によるプリズムシートの概略的な図であって、図１に図示した液晶表示装置で上部プリズムシート１２を示す図である。図２８の拡大円には、上部プリズムシート１２上に形成されたプリズムパターン１６０の形状を概略的に示す。このような上部プリズムシート１２のプリズムパターン１６０は、前述した下部プリズムシート１０（図２５に図示）のプリズムパターン１９０（図２５に図示）と同じであり、プリズムパターンの形成方向のみが異なる。
【００７０】
図２８に示すように、異なるサイズの各プリズムパターン１６１、１６３が互いに隣接して全体的なプリズムパターン１６０を形成する。このように、互いに隣接するプリズムパターン１６１、１６３間の関係を図２９を通じて詳細に説明する。
図２９は図２８のＶＩ−ＶＩ’に沿って切断した断面図であって、各プリズムパターン１６１、１６３の長手方向と交差する方向にプリズムパターンを切断した断面を示す図である。
【００７１】
図２９に示すように、プリズムパターン１６１、１６３の長手方向と交差する方向にプリズムパターン１６１、１６３を切断した断面は、上部に位置する液晶表示パネルに向かって突出し、その端部は弧を形成する。ここで、弧を形成する端部の断面角度（α）はほぼ直角、即ち、直角であるか、直角に近いことが好ましい。
また、プリズムパターン１６０のうち、第１プリズムパターン１６１と第２プリズムパターン１６３の高さは互いに異なり、その高さの比は２．５：１〜４．０：１であることが好ましい。ここで、第１プリズムパターン１６１と第２プリズムパターン１６３は、プリズムパターン１６０のうち、互いに隣接するプリズムパターンを意味し、特定プリズムパターンを意味するものではない。第２プリズムパターン１６３の高さｈ2に対する第１プリズムパターン１６１の高さｈ1比率が２．５未満である場合には、プリズムシートの外観上品質が良くなく、第２プリズムパターン１６３の高さｈ2に対する第１プリズムパターン１６１の高さｈ1比率が４．０を超過する場合には、プリズムシートの表面が不規則になって、集光がよく行われない問題点がある。
【００７２】
前述した第１プリズムパターン１６１の高さｈ1と第２プリズムパターン１６３の高さｈ2の関係をより具体化すると、第１プリズムパターン１６１の高さｈ1と第２プリズムパターン１６３の高さｈ2の差は、１０μｍ〜２５μｍであることが好ましい。高さの差が１０μｍ未満である場合、全体的なプリズムパターンの高さが類似になって、プリズムシートの外観上の品質が良くない問題点がある。これと反対に、高さの差が２５μｍを超過する場合には、集光がよく行われない。
【００７３】
このように、第１プリズムパターン１６１の高さｈ1と第２プリズムパターン１６３の高さｈ2は一定の関係を有するので、第１プリズムパターン１６１及び第２プリズムパターン１６３に入射する光のうち、８５％〜９５％の光が第１プリズムパターン１６１から放出され、第２プリズムパターン１６３にはその残り光が放出される。これによって、上部に光を効率的に供給することができる。
【００７４】
以下では、本発明の実験例を通じて本発明をより詳細に説明する。このような実験例は本発明を例示するためのもので、本発明がここに限定されるものではない。
（実験例）
本発明の実験例としては、前述した本発明の一実施例によるプリズムパターンを形成したプリズムシートを用い、従来技術との比較のための比較例としては従来のように、プリズムパターンが一方向に連続形成された３Ｍ社のプリズムシートを用いて実験した。ここで、３Ｍ社のプリズムシートとしては、上面に形成されたプリズム間のピッチが５０μであり、頂角が９０°である製品を用いた。
【００７５】
図２５に示すような構造のバックライトアセンブリを製作した後、光学シートのみを相違に用いて、光放出による輝度分布をシミュレーションした。光学シートは、上部光学シート及び下部光学シートを全部使用した。具体的なシミュレーション方法は、本発明の属する技術分野における通常の知識を有する者が容易に理解できるので、その詳細な説明は省略する。
【００７６】
図３０及び図３１は、それぞれ本発明の実験例と従来の比較例による輝度分布を概略的に示す図であって、中央部分は明るい部分を示し、その周囲部分は暗い部分を示す。各部分による輝度は、 図３０及び図３１のそれぞれの右側に棒で示す。このような全方向の輝度分布に対して、最大輝度の５０％になる地点、即ち、半値幅に該当する角度を求めた結果を表１に示す。
【００７７】
【表１】
2006011439.tif 000003
【００７８】
表１に示すように、本発明の実験例の場合、従来技術の比較例と比較して、垂直側及び水平側の半値幅が約（＋）方向及び（−）方向に２°程度増加して、同じ輝度に該当する部分の面積が増加することが分かる。これは、図３０に図示した実線で囲まれた面積が図３１に図示された実線で囲まれた面積と比較して増加したことから類推することができる。即ち、本発明によるプリズムシートを用いた場合、従来技術による光学シートを用いた場合と比較して、輝度が向上することが分かる。これによって、光視野角も広くなる等の効果も得ることもできる。
【産業上の利用可能性】
【００７９】
以上で説明したように、本発明による逆−プリズムフィルムは、光が入射する第１面と第１面を通じて入射した光を出射する第２面で構成されており、第１面には、一方向に向かって多数のプリズムが不連続的に形成されている。従って、多様な方向の光を集光及び拡散動作を収束させることができるので、正面輝度が向上される。これによって、最近、液晶表示装置で要求されている高輝度化、軽量化、原価節減を充足することができる。
【００８０】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【００８１】
【図１】一般的なプリズムフィルムを有するバックライトアセンブリの斜視図である。
【図２】本発明の実施例によるバックライトアセンブリの斜視図である。
【図３】図２の導光板による光ガイド方法を説明するための図である。
【図４】図２の導光板を説明するための図である。
【図５】本発明の第１実施例による逆−プリズムフィルムを示す斜視図である。
【図６】図５の逆−プリズムフィルムの一部を示す平面図である。
【図７】図６のＩ−Ｉ’に沿って切断した断面図である。
【図８】図６のII-II'に沿って切断した断面図である。
【図９】図７の逆−プリズムフィルムの光進行経路を示す概略図である。
【図１０】図８の逆−プリズムフィルムの光進行経路を示す概略図である。
【図１１】本発明の第２実施例による逆−プリズムフィルムの斜視図である。
【図１２】図１１の逆−プリズムフィルムの一部を示す平面図である。
【図１３】図１２のIII-III'に沿って切断した断面図である。
【図１４】図１２のIV-IV'に沿って切断した断面図である。
【図１５】図１３の逆−プリズムフィルムの光学特性を説明する概略図である。
【図１６】図１４の逆−プリズムフィルムの光学特性を説明する概略図である。
【図１７】本発明の第３実施例による逆−プリズムフィルムの断面図である。
【図１８】図１７の光学特性を説明する概略図である。
【図１９】本発明の第４実施例による逆−プリズムフィルムの断面図である。
【図２０】図１９の光学特性を説明する概略図である。
【図２１】本発明の第５実施例による逆−プリズムフィルムの断面図である。
【図２２】本発明の第６実施例による液晶表示装置の分解斜視図である。
【図２３】本発明の第７実施例による液晶表示装置の分解斜視図である。
【図２４】本発明の第８実施例による液晶表示装置の分解斜視図である。
【図２５】本発明の第９実施例による液晶表示装置の分解斜視図である。
【図２６】本発明の一実施例による液晶表示装置の結合斜視図である。
【図２７】図２６のＶ−Ｖ’に沿って切断した断面図である。
【図２８】本発明の一実施例によるプリズムシートの概略的な図である。
【図２９】図２８のVI-VI'に沿って切断した断面図である。
【図３０】本発明の実験例による輝度分布を概略的に示す図である。
【図３１】従来の比較例による輝度分布を概略的に示す図である。
【符号の説明】
【００８２】
１００    バックライトアセンブリ
１１０    光発生部
１１２    ランプ
１１４    ランプカバー
１２０    導光板
１２１    入光部
１２２    対向部
１２３    出光部
１２４    底部
１２５    第１サイド部
１２６    第２サイド部
１３０    逆−プリズムフィルム
１３２    ベースフィルム
１３４    光特性向上構造
１４０    反射シート
【図１】
2006011439.tif 000004
【図２】
2006011439.tif 000005
【図３】
2006011439.tif 000006
【図４】
2006011439.tif 000007
【図５】
2006011439.tif 000008
【図６】
2006011439.tif 000009
【図７】
2006011439.tif 000010
【図８】
2006011439.tif 000011
【図９】
2006011439.tif 000012
【図１０】
2006011439.tif 000013
【図１１】
2006011439.tif 000014
【図１２】
2006011439.tif 000015
【図１３】
2006011439.tif 000016
【図１４】
2006011439.tif 000017
【図１５】
2006011439.tif 000018
【図１６】
2006011439.tif 000019
【図１７】
2006011439.tif 000020
【図１８】
2006011439.tif 000021
【図１９】
2006011439.tif 000022
【図２０】
2006011439.tif 000023
【図２１】
2006011439.tif 000024
【図２２】
2006011439.tif 000025
【図２３】
2006011439.tif 000026
【図２４】
2006011439.tif 000027
【図２５】
2006011439.tif 000028
【図２６】
2006011439.tif 000029
【図２７】
2006011439.tif 000030
【図２８】
2006011439.tif 000031
【図２９】
2006011439.tif 000032
【図３０】
2006011439.tif 000033
【図３１】
2006011439.tif 000034